(57)【要約】【課題】電子機器が特定のモードである際にのみ操作される操作スイッチを有する信号出力回路であって、消費電力の増大、生産効率の低下、出力信号を受信するマイコンの構成の複雑化を防止することができる信号出力回路を提供すること。【解決手段】複数の操作スイッチを有し、操作スイッチの操作に応じた電圧信号をマイコン３０の第２のポートＰ２０に出力する第１のスイッチ入力部１０及び第２のスイッチ入力部２０によって信号出力回路が構成され、第１のスイッチ入力部１０は、トランジスタＱ１１と、抵抗Ｒ１２とによって構成された信号受信部によって受信した２値信号に応じて、動作状態あるいは非動作状態に制御され、動作状態に制御されている際には、第１のスイッチ入力部１０が有する操作スイッチが全て非操作状態である際にも、非動作状態に制御されている際とは異なる電圧信号をマイコン３０の第２のポートＰ２０に出力する。【選択図】図１
2008236471.tif 000002
【特許請求の範囲】
【請求項１】
操作スイッチの操作に応じた信号を外部に出力する信号出力回路と、
前記信号出力回路より出力された信号を受信するマイコンと、
を有する電子機器であって、
前記信号出力回路は、
信号を外部に出力する、１つの信号出力端子と、
複数の操作スイッチを有し、前記操作スイッチの操作に応じた信号を前記信号出力端子に出力する、ｎ（ｎ≧２）個のスイッチ入力部と、
を有し、
ｎ個の前記スイッチ入力部のうちのｎ−１個以上の前記スイッチ入力部各々は、
２値信号を受信する信号受信部を有し、
前記信号受信部によって受信した２値信号に応じて、動作状態あるいは非動作状態に制御され、
動作状態に制御されている際には、該スイッチ入力部が有する前記操作スイッチが全て非操作状態である際にも、非動作状態に制御されている際とは異なる信号を前記信号出力端子に出力し、
前記マイコンは、
１つの前記信号出力端子及びｎ−１個以上の前記信号受信部各々に接続された、ｎ個以上のポートを有することを特徴とする電子機器。
【請求項２】
信号を外部に出力する、１つの信号出力端子と、
複数の操作スイッチを有し、前記操作スイッチの操作に応じた信号を前記信号出力端子に出力する、ｎ（ｎ≧２）個のスイッチ入力部と、
を有し、
ｎ個の前記スイッチ入力部のうちのｎ−１個以上の前記スイッチ入力部各々は、
２値信号を受信する信号受信部を有し、
前記信号受信部によって受信した２値信号に応じて、動作状態あるいは非動作状態に制御され、
動作状態に制御されている際には、該スイッチ入力部が有する前記操作スイッチが全て非操作状態である際にも、非動作状態に制御されている際とは異なる信号を前記信号出力端子に出力することを特徴とする信号出力回路。
【請求項３】
請求項２に記載の信号出力回路と、
１つの前記信号出力端子及びｎ−１個以上の前記信号受信部各々に接続された、ｎ個以上のポートを有するマイコンと、
を有することを特徴とする電子機器。
【発明の詳細な説明】
【技術分野】
【０００１】
本発明は、操作スイッチの操作に応じた信号を外部に出力する信号出力回路に関する。また、本発明は、そのような信号出力回路を有する電子機器に関する。
【背景技術】
【０００２】
以前より知られている、操作スイッチの操作に応じた信号を外部に出力する信号出力回路を有する電子機器の構成について、図４を用いて説明する。図４は、以前より知られている、操作スイッチの操作に応じた信号を外部に出力する信号出力回路を有する電子機器９０の概略の構成を示すブロック図である。電子機器９０は、第１のスイッチ入力部９１と、第２のスイッチ入力部９２とを有し、第１のスイッチ入力部９１と、第２のスイッチ入力部９２とによって信号出力回路が構成されている。また、電子機器９０は、第１のスイッチ入力部９１の信号出力端子に接続された第１のポートＰ９１と、第２のスイッチ入力部９２の信号出力端子に接続された第２のポートＰ９２とを有するマイコン９３を有している。
【０００３】
ここで、第１のスイッチ入力部９１の回路構成について説明する。第１のスイッチ入力部９１においては、直流電源ＶＤＤ９１１は、抵抗Ｒ９１１ａの一端に接続され、抵抗Ｒ９１１ａの他端は、マイコン９３の第１のポートＰ９１と、抵抗Ｒ９１１ｂの一端とに接続されている。また、抵抗Ｒ９１１ｂの他端は、操作スイッチＳ９１１の一端と、抵抗Ｒ９１２の一端とに接続され、操作スイッチＳ９１１の他端は接地されている。そして、抵抗Ｒ９１２の他端は、操作スイッチＳ９１２の一端と、抵抗Ｒ９１３の一端とに接続され、操作スイッチＳ９１２の他端は接地されている。また、抵抗Ｒ９１３の他端は、操作スイッチＳ９１３の一端に接続され、操作スイッチＳ９１３の他端は接地されている。
【０００４】
次に、第２のスイッチ入力部９２の回路構成について説明する。第２のスイッチ入力部９２においては、直流電源ＶＤＤ９２１は、抵抗Ｒ９２１ａの一端に接続され、抵抗Ｒ９２１ａの他端は、マイコン９３の第２のポートＰ９２と、抵抗Ｒ９２１ｂの一端とに接続されている。また、抵抗Ｒ９２１ｂの他端は、操作スイッチＳ９２１の一端と、抵抗Ｒ９２２の一端とに接続され、操作スイッチＳ９２１の他端は接地されている。そして、抵抗Ｒ９２２の他端は、操作スイッチＳ９２２の一端と、抵抗Ｒ９２３の一端とに接続され、操作スイッチＳ９２２の他端は接地されている。また、抵抗Ｒ９２３の他端は、操作スイッチＳ９２３の一端に接続され、操作スイッチＳ９２３の他端は接地されている。
【０００５】
図４に示される電子機器９０においては、ユーザが操作スイッチＳ９１１、Ｓ９１２、Ｓ９１３のいずれかを操作すると、該操作に応じた電圧信号がマイコン９３の第１のポートＰ９１に出力される。また、ユーザが操作スイッチＳ９２１、Ｓ９２２、Ｓ９２３のいずれかを操作すると、該操作に応じた電圧信号がマイコン９３の第２のポートＰ９２に出力される。ここで、ユーザのスイッチ操作に応じて出力される電圧信号の電圧値は、直流電源ＶＤＤ９１１、ＶＤＤ９２１の出力電圧値と、抵抗Ｒ９１１ａ、Ｒ９１１ｂ、Ｒ９１２、Ｒ９１３、Ｒ９２１ａ、Ｒ９２１ｂ、Ｒ９２２、Ｒ９２３の抵抗値とに依存する。
【０００６】
また、特許文献１には、複数の操作スイッチを有し、操作スイッチの操作に応じた電圧信号をマイコンのポートに出力するラダー回路と；モード切り替えのためのトグルスイッチと；トグルスイッチの操作によってモード切り替え指令がなされた際に、ラダー回路にモード切り替え信号を出力することによって、ラダー回路がマイコンのポートに出力する電圧信号を変化させるスイッチング回路と；を有するスイッチ回路が記載されている。そして、このスイッチ回路より出力された電圧信号を受信するマイコンは、このスイッチ回路のラダー回路に接続された１つのポートのみによって、ラダー回路の複数の操作スイッチの操作及びトグルスイッチの操作を検知することができる。
【特許文献１】特開平１１−１４５８０５号公報
【発明の開示】
【発明が解決しようとする課題】
【０００７】
しかしながら、図４に示される電子機器９０においては、電子機器９０が第１のモードと、第２のモードとの２つのモード間を遷移するものであって、電子機器９０が第１のモードである際には第１のスイッチ入力部９１のみがユーザによって操作され、電子機器９０が第２のモードである際には第２のスイッチ入力部９２のみがユーザによって操作される場合においても、マイコン９３は、電子機器９０が第２のモードである際には不要となる、第１のスイッチ入力部９１に対応する第１のポートＰ９１と、電子機器９０が第１のモードである際には不要となる、第２のスイッチ入力部９２に対応する第２のポートＰ９２とを共に有する必要があり、マイコン９３の構成の複雑化が問題となる。
【０００８】
この問題について、電子機器９０がＶＣＲ（ビデオカセットレコーダ）と、ＤＶＤレコーダとの複合機である場合を例として、以下で具体的に説明する。ここで、電子機器９０は、ＶＣＲモードと、ＤＶＤレコーダモードとの２つのモード間を遷移するものとする。また、第１のスイッチ入力部９１の操作スイッチＳ９１１はＶＣＲの再生スイッチであり、操作スイッチＳ９１２はＶＣＲの停止スイッチであり、操作スイッチＳ９１３はＶＣＲの録画スイッチである一方、第２のスイッチ入力部９２の操作スイッチＳ９２１はＤＶＤレコーダの再生スイッチであり、操作スイッチＳ９２２はＤＶＤレコーダの停止スイッチであり、操作スイッチＳ９２３はＤＶＤレコーダの録画スイッチであるものとする。
【０００９】
このとき、電子機器９０がＶＣＲモードである際には第１のスイッチ入力部９１のみがユーザによって操作され、電子機器９０がＤＶＤレコーダモードである際には第２のスイッチ入力部９２のみがユーザによって操作される。しかしながら、マイコン９３は、電子機器９０がＤＶＤレコーダモードである際には不要となる、第１のスイッチ入力部９１に対応する第１のポートＰ９１と、電子機器９０がＶＣＲモードである際には不要となる、第２のスイッチ入力部９２に対応する第２のポートＰ９２とを共に有する必要があり、マイコン９３の構成の複雑化が問題となる。
【００１０】
そこで、この問題を解決するために、電子機器９０の構成を図５に示すように変更することが考えられる。図５は、電子機器９０の他の構成を示すブロック図である。図５においては、電子機器９０は、信号出力回路を構成する第１のスイッチ入力部９１と、第１のスイッチ入力部９１の信号出力端子に接続された第１のポートＰ９１を有するマイコン９３とを有している。
【００１１】
ここで、図５に示される電子機器９０における、第１のスイッチ入力部９１の回路構成について説明する。第１のスイッチ入力部９１においては、直流電源ＶＤＤ９１１は抵抗Ｒ９１１ａの一端に接続され、抵抗Ｒ９１１ａの他端はマイコン９３の第１のポートＰ９１と、抵抗Ｒ９１１ｂの一端とに接続されている。また、抵抗Ｒ９１１ｂの他端は、操作スイッチＳ９１１の一端と、抵抗Ｒ９１２の一端とに接続され、操作スイッチＳ９１１の他端は接地されている。そして、抵抗Ｒ９１２の他端は、操作スイッチＳ９１２の一端と、抵抗Ｒ９１３の一端とに接続され、操作スイッチＳ９１２の他端は接地されている。また、抵抗Ｒ９１３の他端は、操作スイッチＳ９１３の一端と、抵抗Ｒ９２１ａの一端とに接続され、操作スイッチＳ９１３の他端は接地されている。
【００１２】
そして、抵抗Ｒ９２１ａの他端は、操作スイッチＳ９２１の一端と、抵抗Ｒ９２２の一端とに接続され、操作スイッチＳ９２１の他端は接地されている。また、抵抗Ｒ９２２の他端は、操作スイッチＳ９２２の一端と、抵抗Ｒ９２３の一端とに接続され、操作スイッチＳ９２２の他端は接地されている。そして、抵抗Ｒ９２３の他端は、操作スイッチＳ９２３の一端に接続され、操作スイッチＳ９２３の他端は接地されている。
【００１３】
電子機器９０の構成を図５に示すように変更すると、マイコン９３は、信号出力回路の信号出力端子より出力される電圧信号を受信するためのポートとして、１つの第１のポートＰ９１のみを有すればよいこととなる。しかしながら、この場合には、第１のスイッチ入力部９１からマイコン９３の第１のポートＰ９１に、ローレベルの電圧信号以外に６種類の電圧信号が出力されることとなるため、マイコン９３が各操作スイッチの操作を正しく検知できるようにするためには、直流電源ＶＤＤ９１１の出力電圧値を図４に示される直流電源ＶＤＤ９１１、ＶＤＤ９２１の出力電圧値の２倍とするか、抵抗Ｒ９１１ａ、Ｒ９１１ｂ、Ｒ９１２、Ｒ９１３、Ｒ９２１ａ、Ｒ９２２、Ｒ９２３の抵抗値の精度を高精度とするか、あるいは、マイコン９３の電圧分解能を向上させるかのいずれかが必要となり、消費電力の増大、生産効率の低下、マイコン９３の構成の複雑化が問題となる。
【００１４】
ここで、特許文献１のスイッチ回路は、２値の電圧信号を出力するトグルスイッチに対応するものであるため、図４及び図５に示される電子機器９０の上記問題を解決することはできない。
【００１５】
上記の問題を鑑みて、本発明においては、電子機器が特定のモードである際にのみ操作される操作スイッチを有する信号出力回路であって、消費電力の増大、生産効率の低下、出力信号を受信するマイコンの構成の複雑化を防止することができる信号出力回路を提供することを目的とする。また、本発明の他の目的は、そのような信号出力回路を有する電子機器を提供することである。
【課題を解決するための手段】
【００１６】
本発明においては、電子機器は、操作スイッチの操作に応じた信号を外部に出力する信号出力回路と、前記信号出力回路より出力された信号を受信するマイコンと、を有する電子機器であって、前記信号出力回路は、信号を外部に出力する、１つの信号出力端子と、複数の操作スイッチを有し、前記操作スイッチの操作に応じた信号を前記信号出力端子に出力する、ｎ（ｎ≧２）個のスイッチ入力部と、を有し、ｎ個の前記スイッチ入力部のうちのｎ−１個以上の前記スイッチ入力部各々は、２値信号を受信する信号受信部を有し、前記信号受信部によって受信した２値信号に応じて、動作状態あるいは非動作状態に制御され、動作状態に制御されている際には、該スイッチ入力部が有する前記操作スイッチが全て非操作状態である際にも、非動作状態に制御されている際とは異なる信号を前記信号出力端子に出力し、前記マイコンは、１つの前記信号出力端子及びｎ−１個以上の前記信号受信部各々に接続された、ｎ個以上のポートを有することを特徴とする。
【００１７】
本発明においては、信号出力回路は、信号を外部に出力する、１つの信号出力端子と、複数の操作スイッチを有し、前記操作スイッチの操作に応じた信号を前記信号出力端子に出力する、ｎ（ｎ≧２）個のスイッチ入力部と、を有し、ｎ個の前記スイッチ入力部のうちのｎ−１個以上の前記スイッチ入力部各々は、２値信号を受信する信号受信部を有し、前記信号受信部によって受信した２値信号に応じて、動作状態あるいは非動作状態に制御され、動作状態に制御されている際には、該スイッチ入力部が有する前記操作スイッチが全て非操作状態である際にも、非動作状態に制御されている際とは異なる信号を前記信号出力端子に出力することを特徴とする。
【００１８】
本発明においては、電子機器は、上記構成の信号出力回路と、１つの前記信号出力端子及びｎ−１個以上の前記信号受信部各々に接続された、ｎ個以上のポートを有するマイコンと、を有することを特徴とする。
【発明の効果】
【００１９】
本発明の信号出力回路は、信号を外部に出力する、１つの信号出力端子と；複数の操作スイッチを有し、操作スイッチの操作に応じた信号を信号出力端子に出力する、ｎ（ｎ≧２）個のスイッチ入力部と；を有し、ｎ個のスイッチ入力部のうちのｎ−１個以上のスイッチ入力部各々は、２値信号を受信する信号受信部を有し、信号受信部によって受信した２値信号に応じて、動作状態あるいは非動作状態に制御され、動作状態に制御されている際には、該スイッチ入力部が有する操作スイッチが全て非操作状態である際にも、非動作状態に制御されている際とは異なる信号を信号出力端子に出力する。
【００２０】
したがって、ｎ個のスイッチ入力部各々が、電子機器がある特定のモードである際にのみユーザによって操作されるものであり、本発明の信号出力回路より出力された信号を受信するマイコンが、電子機器のその時点のモードを示す２値信号を出力するポートを有している場合には、そのポートをｎ−１個以上のスイッチ入力部の信号受信部に適切に接続すれば、マイコンは、信号出力回路の信号出力端子より出力される信号を受信するためのポートとして、１つのポートのみを有するだけで、各操作スイッチの操作を正しく検知できることとなる。
【００２１】
そして、この場合には、ｎ個のスイッチ入力部各々が有する直流電源の出力電圧値を増大させる必要もなく、ｎ個のスイッチ入力部各々が有する抵抗の抵抗値の精度を高精度とする必要もなく、本発明の信号出力回路より出力された信号を受信するマイコンの信号分解能を向上させる必要もないため、消費電力の増大、生産効率の低下、本発明の信号出力回路より出力された信号を受信するマイコンの構成の複雑化を防止できる。
【発明を実施するための最良の形態】
【００２２】
本発明の実施形態について、図面を用いて説明すれば以下の通りである。
【００２３】
図１は、本発明の実施形態に係る、操作スイッチの操作に応じた信号を外部に出力する信号出力回路を有する電子機器１の概略の構成を示すブロック図である。電子機器１は、第１のスイッチ入力部１０と、第２のスイッチ入力部２０とを有し、第１のスイッチ入力部１０と、第２のスイッチ入力部２０とによって信号出力回路が構成されている。また、電子機器１は、第１のスイッチ入力部１０に接続された第１のポートＰ１０と、信号出力回路の出力端子に接続された第２のポートＰ２０とを有するマイコン３０を有している。
【００２４】
ここで、第１のスイッチ入力部１０の回路構成について説明する。第１のスイッチ入力部１０においては、直流電源ＶＤＤ１１は抵抗Ｒ１１の一端に接続され、抵抗Ｒ１１の他端はトランジスタＱ１１（ｎｐｎ形）のコレクタに接続されている。そして、トランジスタＱ１１のベースは抵抗Ｒ１２を介してマイコン３０の第１のポートＰ１０に接続され、トランジスタＱ１１のエミッタは、抵抗Ｒ１３、Ｒ１４、Ｒ１５、Ｒ１６各々の一端と、マイコン３０の第２のポートＰ２０とに接続され、抵抗Ｒ１３の他端は接地されている。また、抵抗Ｒ１４、Ｒ１５、Ｒ１６の他端は、各々操作スイッチＳ１４、Ｓ１５、Ｓ１６の一端に接続され、操作スイッチＳ１４、Ｓ１５、Ｓ１６の他端は各々接地されている。
【００２５】
次に、第２のスイッチ入力部２０の回路構成について説明する。第２のスイッチ入力部２０においては、直流電源ＶＤＤ２１は、抵抗Ｒ２１、Ｒ２２、Ｒ２３各々の一端に接続され、抵抗Ｒ２１、Ｒ２２、Ｒ２３の他端は、各々操作スイッチＳ２１、Ｓ２２、Ｓ２３の一端に接続され、操作スイッチＳ２１、Ｓ２２、Ｓ２３の他端は各々、トランジスタＱ１１のエミッタと、抵抗Ｒ１３、Ｒ１４、Ｒ１５、Ｒ１６と、マイコン３０の第２のポートＰ２０とに接続されている。
【００２６】
図１に示される電子機器１においては、第１のスイッチ入力部１０は、トランジスタＱ１１と、抵抗Ｒ１２とによって構成された信号受信部を有し、該信号受信部によって、マイコン３０の第１のポートＰ１０より出力される２値の電圧信号を受信する。
【００２７】
そして、第１のスイッチ入力部１０は、マイコン３０の第１のポートＰ１０より出力される２値の電圧信号によって、動作状態あるいは非動作状態に制御される。
【００２８】
より詳しくは、第１のスイッチ入力部１０は、信号受信部によって、マイコン３０の第１のポートＰ１０より出力されるハイレベルの電圧信号を受信している際には、動作状態に制御される。そして、第１のスイッチ入力部１０が動作状態に制御されている際に、ユーザが、第１のスイッチ入力部１０の操作スイッチＳ１４、Ｓ１５、Ｓ１６のいずれかを操作した場合には、第１のスイッチ入力部１０は、該操作に応じた電圧信号を、信号出力回路の信号出力端子よりマイコン３０の第２のポートＰ２０に出力する。また、第１のスイッチ入力部１０は、動作状態に制御されている際には、操作スイッチＳ１４、Ｓ１５、Ｓ１６が全て非操作状態である際にも、直流電源ＶＤＤ１１の出力電圧の、抵抗Ｒ１１、Ｒ１３による分圧電圧信号Ｖｒｅｆ１を、信号出力回路の信号出力端子よりマイコン３０の第２のポートＰ２０に出力する。
【００２９】
一方、第１のスイッチ入力部１０は、信号受信部によって、マイコン３０の第１のポートＰ１０より出力されるローレベルの電圧信号を受信している際には、非動作状態に制御される。そして、第１のスイッチ入力部１０が非動作状態に制御されている際には、ユーザによる操作スイッチＳ１４、Ｓ１５、Ｓ１６の操作の有無に拘わらず、第１のスイッチ入力部１０は、ローレベルの電圧信号を、信号出力回路の信号出力端子よりマイコン３０の第２のポートＰ２０に出力する。
【００３０】
また、ユーザが、第２のスイッチ入力部２０の操作スイッチＳ２１、Ｓ２２、Ｓ２３のいずれかを操作した場合には、第２のスイッチ入力部２０は、該操作に応じた電圧信号を、信号出力回路の信号出力端子よりマイコン３０の第２のポートＰ２０に出力する。
【００３１】
そして、電子機器１は、第１のモードと、第２のモードとの２つのモード間を遷移するものであり、マイコン３０は、電子機器１が第１のモードである際には、第１のポートＰ１０よりハイレベルの電圧信号を出力する一方、電子機器１が第２のモードである際には、第１のポートＰ１０よりローレベルの電圧信号を出力するものとする。また、電子機器１が第１のモードである際には、第１のスイッチ入力部１０のみがユーザによって操作され、電子機器１が第２のモードである際には、第２のスイッチ入力部２０のみがユーザによって操作されるものとする。
【００３２】
そして、マイコン３０は、第２のポートＰ２０によって受信している電圧信号がＶｒｅｆ１からローレベル以外の電圧信号に変化した場合には、第１のスイッチ入力部１０が操作されたものとみなして、操作スイッチＳ１４、Ｓ１５、Ｓ１６のいずれが操作されたかを、第２のポートＰ２０によって受信した電圧信号より検知する。一方、マイコン３０は、第２のポートＰ２０によって受信している電圧信号がローレベルからＶｒｅｆ１以外の電圧信号に変化した場合には、第２のスイッチ入力部２０が操作されたものとみなして、操作スイッチＳ２１、Ｓ２２、Ｓ２３のいずれが操作されたかを、第２のポートＰ２０によって受信した電圧信号より検知する。また、マイコン３０は、第２のポートＰ２０によって受信している電圧信号がＶｒｅｆ１と、ローレベルとの間で変化した場合には、モード切り替え動作であって、各操作スイッチの操作ではないと判断する。
【００３３】
ここで、一般的な、第１のモードと、第２のモードとの２つのモード間を遷移する電子機器１においては、マイコン３０は、電子機器１のモードに応じた各種制御を行うために、電子機器１が第１のモードである際にはハイレベルの電圧信号を出力し、電子機器１が第２のモードである際にはローレベルの電圧信号を出力するための第１のポートＰ１０を有している。
【００３４】
したがって、図１に示される電子機器１においては、マイコン３０は、信号出力回路の信号出力端子より出力される電圧信号を受信するためのポートとして、１つの第２のポートＰ２０のみを有すればよく、直流電源ＶＤＤ１１、ＶＤＤ２１の出力電圧値を、図４に示される直流電源ＶＤＤ９１１、ＶＤＤ９２１の出力電圧値より増大させる必要もなく、抵抗Ｒ１１、Ｒ１２、Ｒ１３、Ｒ１４、Ｒ１５、Ｒ１６、Ｒ２１、Ｒ２２、Ｒ２３の抵抗値の精度を、図４に示される抵抗Ｒ９１１ａ、Ｒ９１１ｂ、Ｒ９１２、Ｒ９１３、Ｒ９２１ａ、Ｒ９２１ｂ、Ｒ９２２、Ｒ９２３の抵抗値の精度より高精度とする必要もなく、マイコン３０の電圧信号分解能を向上させる必要もないため、消費電力の増大、生産効率の低下、マイコン３０の構成の複雑化を防止できる。
【００３５】
ここで、図１に示される電子機器１の具体例としては、ＶＣＲモードと、ＤＶＤレコーダモードとの２つのモード間を遷移し、第１のスイッチ入力部１０の操作スイッチＳ１４はＶＣＲの再生スイッチであり、操作スイッチＳ１５はＶＣＲの停止スイッチであり、操作スイッチＳ１６はＶＣＲの録画スイッチである一方、第２のスイッチ入力部２０の操作スイッチＳ２１はＤＶＤレコーダの再生スイッチであり、操作スイッチＳ２２はＤＶＤレコーダの停止スイッチであり、操作スイッチＳ２３はＤＶＤレコーダの録画スイッチである、ＶＣＲと、ＤＶＤレコーダとの複合機などが挙げられる。
【００３６】
次に、電子機器１の他の構成について説明する。図２は、電子機器１の他の構成を示すブロック図である。なお、図２においては、図１と共通の部分には共通の符号を付し、その詳細な説明は省略する。図２に示される電子機器１は、第１のスイッチ入力部１０と、第２のスイッチ入力部２０との他に、第３のスイッチ入力部４０を有し、第１のスイッチ入力部１０と、第２のスイッチ入力部２０と、第３のスイッチ入力部４０とによって信号出力回路が構成されている。また、図２に示される電子機器１は、第１のポートＰ１０と、第２のポートＰ２０との他に、第３のポートＰ４０を有するマイコン３０を有している。
【００３７】
ここで、第３のスイッチ入力部４０の回路構成について説明する。第３のスイッチ入力部４０においては、直流電源ＶＤＤ４１は抵抗Ｒ４１の一端に接続され、抵抗Ｒ４１の他端はトランジスタＱ４１（ｎｐｎ形）のコレクタに接続されている。そして、トランジスタＱ４１のベースは抵抗Ｒ４２を介してマイコン３０の第３のポートＰ４０に接続され、トランジスタＱ４１のエミッタは、抵抗Ｒ４３、Ｒ４４、Ｒ４５、Ｒ４６各々の一端と、マイコン３０の第２のポートＰ２０とに接続され、抵抗Ｒ４３の他端は接地されている。また、抵抗Ｒ４４、Ｒ４５、Ｒ４６の他端は、各々操作スイッチＳ４４、Ｓ４５、Ｓ４６の一端に接続され、操作スイッチＳ４４、Ｓ４５、Ｓ４６の他端は各々接地されている。
【００３８】
図２に示される電子機器１においては、第３のスイッチ入力部４０は、トランジスタＱ４１と、抵抗Ｒ４２とによって構成された信号受信部を有し、該信号受信部によって、マイコン３０の第３のポートＰ４０より出力される２値の電圧信号を受信する。
【００３９】
そして、第３のスイッチ入力部４０は、マイコン３０の第３のポートＰ４０より出力される２値の電圧信号によって、動作状態あるいは非動作状態に制御される。
【００４０】
より詳しくは、第３のスイッチ入力部４０は、信号受信部によって、マイコン３０の第３のポートＰ４０より出力されるハイレベルの電圧信号を受信している際には、動作状態に制御される。そして、第３のスイッチ入力部４０が動作状態に制御されている際に、ユーザが、第３のスイッチ入力部４０の操作スイッチＳ４４、Ｓ４５、Ｓ４６のいずれかを操作した場合には、第３のスイッチ入力部４０は、該操作に応じた電圧信号を、信号出力回路の信号出力端子よりマイコン３０の第２のポートＰ２０に出力する。また、第３のスイッチ入力部４０は、動作状態に制御されている際には、操作スイッチＳ４４、Ｓ４５、Ｓ４６が全て非操作状態である際にも、直流電源ＶＤＤ４１の出力電圧の、抵抗Ｒ４１、Ｒ４３による分圧電圧信号Ｖｒｅｆ３を、信号出力回路の信号出力端子よりマイコン３０の第２のポートＰ２０に出力する。
【００４１】
一方、第３のスイッチ入力部４０は、信号受信部によって、マイコン３０の第３のポートＰ４０より出力されるローレベルの電圧信号を受信している際には、非動作状態に制御される。そして、第３のスイッチ入力部４０が非動作状態に制御されている際には、ユーザによる操作スイッチＳ４４、Ｓ４５、Ｓ４６の操作の有無に拘わらず、第３のスイッチ入力部４０は、ローレベルの電圧信号を、信号出力回路の信号出力端子よりマイコン３０の第２のポートＰ２０に出力する。
【００４２】
ここで、電子機器１は、第１のモードと、第２のモードと、第３のモードとの３つのモード間を遷移するものであり、マイコン３０は、電子機器１が第１のモードである際には、第１のポートＰ１０よりハイレベルの電圧信号を出力し、第３のポートＰ４０よりローレベルの電圧信号を出力する。また、マイコン３０は、電子機器１が第２のモードである際には、第１のポートＰ１０よりローレベルの電圧信号を出力し、第３のポートＰ４０よりローレベルの電圧信号を出力する。そして、マイコン３０は、電子機器１が第３のモードである際には、第１のポートＰ１０よりローレベルの電圧信号を出力し、第３のポートＰ４０よりハイレベルの電圧信号を出力する。
【００４３】
また、電子機器１が第１のモードである際には、第１のスイッチ入力部１０のみがユーザによって操作され、電子機器１が第２のモードである際には、第２のスイッチ入力部２０のみがユーザによって操作され、電子機器１が第３のモードである際には、第３のスイッチ入力部４０のみがユーザによって操作されるものとする。
【００４４】
そして、マイコン３０は、第２のポートＰ２０によって受信している電圧信号がＶｒｅｆ１からローレベル及びＶｒｅｆ３以外の電圧信号に変化した場合には、第１のスイッチ入力部１０が操作されたものとみなして、操作スイッチＳ１４、Ｓ１５、Ｓ１６のいずれが操作されたかを、第２のポートＰ２０によって受信した電圧信号より検知する。また、マイコン３０は、第２のポートＰ２０によって受信している電圧信号がローレベルからＶｒｅｆ１及びＶｒｅｆ３以外の電圧信号に変化した場合には、第２のスイッチ入力部２０が操作されたものとみなして、操作スイッチＳ２１、Ｓ２２、Ｓ２３のいずれが操作されたかを、第２のポートＰ２０によって受信した電圧信号より検知する。
【００４５】
そして、マイコン３０は、第２のポートＰ２０によって受信している電圧信号がＶｒｅｆ３からローレベル及びＶｒｅｆ１以外の電圧信号に変化した場合には、第３のスイッチ入力部４０が操作されたものとみなして、操作スイッチＳ４４、Ｓ４５、Ｓ４６のいずれが操作されたかを、第２のポートＰ２０によって受信した電圧信号より検知する。また、マイコン３０は、第２のポートＰ２０によって受信している電圧信号がローレベルと、Ｖｒｅｆ１と、Ｖｒｅｆ３との間で変化した場合には、モード切り替え動作であって、各操作スイッチの操作ではないと判断する。
【００４６】
ここで、一般的な、第１のモードと、第２のモードと、第３のモードとの３つのモード間を遷移する電子機器１においては、マイコン３０は、電子機器１のモードに応じた各種制御を行うために、電子機器１が第１のモードである際にはハイレベルの電圧信号を出力し、電子機器１が第１のモード以外のモードである際にはローレベルの電圧信号を出力するための第１のポートＰ１０と、電子機器１が第３のモードである際にはハイレベルの電圧信号を出力し、電子機器１が第３のモード以外のモードである際にはローレベルの電圧信号を出力するための第３のポートＰ４０とを有している。
【００４７】
したがって、図２に示される電子機器１においては、マイコン３０は、信号出力回路の信号出力端子より出力される電圧信号を受信するためのポートとして、１つの第２のポートＰ２０のみを有すればよく、直流電源ＶＤＤ１１、ＶＤＤ２１、ＶＤＤ４１の出力電圧値を、図４に示される直流電源ＶＤＤ９１１、ＶＤＤ９２１の出力電圧値より増大させる必要もなく、抵抗Ｒ１１、Ｒ１２、Ｒ１３、Ｒ１４、Ｒ１５、Ｒ１６、Ｒ２１、Ｒ２２、Ｒ２３、Ｒ４１、Ｒ４２、Ｒ４３、Ｒ４４、Ｒ４５、Ｒ４６の抵抗値の精度を、図４に示される抵抗Ｒ９１１ａ、Ｒ９１１ｂ、Ｒ９１２、Ｒ９１３、Ｒ９２１ａ、Ｒ９２１ｂ、Ｒ９２２、Ｒ９２３の抵抗値の精度より高精度とする必要もなく、マイコン３０の電圧信号分解能を向上させる必要もないため、消費電力の増大、生産効率の低下、マイコン３０の構成の複雑化を防止できる。
【００４８】
ここで、図２に示される電子機器１の具体例としては、ＶＣＲモードと、ＤＶＤレコーダモードと、ＨＤＤ（ハードディスクドライブ）モードとの３つのモード間を遷移し、第１のスイッチ入力部１０の操作スイッチＳ１４はＶＣＲの再生スイッチであり、操作スイッチＳ１５はＶＣＲの停止スイッチであり、操作スイッチＳ１６はＶＣＲの録画スイッチであり、第２のスイッチ入力部２０の操作スイッチＳ２１はＤＶＤレコーダの再生スイッチであり、操作スイッチＳ２２はＤＶＤレコーダの停止スイッチであり、操作スイッチＳ２３はＤＶＤレコーダの録画スイッチであり、第３のスイッチ入力部４０の操作スイッチＳ４４はＨＤＤの再生スイッチであり、操作スイッチＳ４５はＨＤＤの停止スイッチであり、操作スイッチＳ４６はＨＤＤの録画スイッチである、ＶＣＲと、ＤＶＤレコーダと、ＨＤＤとの複合機などが挙げられる。
【００４９】
なお、本発明は上記の実施形態に限定されず、本発明の主旨を逸脱しない範囲で種々の変更が可能である。例えば、電子機器１は、図３に示すように、図２の電子機器１から第２のスイッチ入力部２０を取り除いた構成としても良い。この場合には、第１のスイッチ入力部１０と、第３のスイッチ入力部４０とによって信号出力回路が構成されることとなる。
【００５０】
そして、マイコン３０は、第２のポートＰ２０によって受信している電圧信号がＶｒｅｆ１からＶｒｅｆ３以外の電圧信号に変化した場合には、第１のスイッチ入力部１０が操作されたものとみなして、操作スイッチＳ１４、Ｓ１５、Ｓ１６のいずれが操作されたかを受信した電圧信号より検知し、第２のポートＰ２０によって受信している電圧信号がＶｒｅｆ３からＶｒｅｆ１以外の電圧信号に変化した場合には、第３のスイッチ入力部４０が操作されたものとみなして、操作スイッチＳ４４、Ｓ４５、Ｓ４６のいずれが操作されたかを受信した電圧信号より検知し、第２のポートＰ２０によって受信している電圧信号がＶｒｅｆ１と、Ｖｒｅｆ３との間で変化した場合には、モード切り替え動作であって、各操作スイッチの操作ではないと判断する構成とすればよい。
【００５１】
図３に示されるように、電子機器１が有する全てのスイッチ入力部が信号受信部を有する構成とすると、図１及び図２に示される電子機器１において問題となった、電子機器１が第１のモード又は第３のモードである際に、ユーザが誤って第２のスイッチ入力部２０を操作した場合に、マイコン３０が、第１のスイッチ入力部１０又は第３のスイッチ入力部４０が操作されたものとみなしてしまうという問題が解消されることとなる。
【産業上の利用可能性】
【００５２】
本発明は、操作スイッチの操作に応じた信号を外部に出力する信号出力回路として有効である。また、本発明は、そのような信号出力回路を有する電子機器として有効である。
【図面の簡単な説明】
【００５３】
【図１】電子機器１の概略の構成を示すブロック図。
【図２】電子機器１の他の構成を示すブロック図。
【図３】電子機器１の他の構成を示すブロック図。
【図４】電子機器９０の概略の構成を示すブロック図。
【図５】電子機器９０の他の構成を示すブロック図。
【符号の説明】
【００５４】
１    電子機器
Ｓ１４、Ｓ１５、Ｓ１６    操作スイッチ
Ｓ２１、Ｓ２２、Ｓ２３    操作スイッチ
Ｓ４４、Ｓ４５、Ｓ４６    操作スイッチ
１０    第１のスイッチ入力部
２０    第２のスイッチ入力部
３０    マイコン
４０    第３のスイッチ入力部
Ｐ１０    第１のポート
Ｐ２０    第２のポート
Ｐ４０    第３のポート
【図１】
2008236471.tif 000003
【図２】
2008236471.tif 000004
【図３】
2008236471.tif 000005
【図４】
2008236471.tif 000006
【図５】
2008236471.tif 000007